(57)【特許請求の範囲】
【請求項１】
隣り合う床パンの夫々の突き合わせ側端部に、上方及び他方の床パン側に開口する凹所が形成され、前記両凹所に跨って上面が前記両床パンの夫々の上面と面一となるカバー材が設けられる床構造であって、
前記凹所は、前記床パンの上面部から下方に向けて突出した側片と、前記側片の下端部から隣接する床パン側に向けて突出した底片と、で構成されており、前記両凹所に跨って連結板が設けられ、この連結板により前記両床パンは連結されて、その上方に前記連結板を覆うように前記カバー材が設けられ、前記連結板と前記カバー材とは同じ幅寸法に形成されて前記両凹所の前記側片の間に納められていることを特徴とする床構造。
【請求項２】
前記両床パンの端縁同士の間に形成された隙間からの水の漏れ出しを抑制する止水材が設けられたことを特徴とする請求項１に記載の床構造。
【請求項３】
前記各床パンは、上面を構成するパン本体と、合成木材を備え、前記凹所は前記パン本体の端部に形成されてこの凹所の前記底片の下側に前記合成木材が設けられ、前記連結板において前記各床パンに対応する部分に上方からねじが挿通され、これらねじが対応する前記パン本体の前記底片を通して対応する前記合成木材にねじ込まれ、前記カバー材が前記連結板と共に前記ねじの頭部上側を覆うように設けられたことを特徴とする請求項１又は請求項２に記載の床構造。
【請求項４】
前記カバー材が前記連結板の上面に両面が粘着面となった防水テープを介して張り付けられ、この防水テープで前記各ねじの頭部が覆われたことを特徴とする請求項３に記載の床構造。
【請求項５】
前記床パンは、上面を構成するパン本体と、補強具を備え、前記凹所は前記パン本体の端部に形成され、この凹所の前記底片の他方の床パン側の端縁から下方に突出する縁片部が形成され、前記補強具が前記凹所の前記底片の下面及び前記縁片部の側面に沿って設けられたことを特徴とする請求項１乃至４のいずれか一項に記載の床構造。
【発明の詳細な説明】
【技術分野】
【０００１】
本発明は複数の床パンを用いて床面を形成する床構造に関する。
【背景技術】
【０００２】
特許文献１には二つに分割された分割片を備えた防水パンが開示されている。前記両分割片の夫々の突き合わせ側の端部には凹部が形成されている。両分割片は両凹部に跨って配置された連結部材をビスにより各分割片に連結することで連結されている。また、前記各分割片の上面には両分割片の連結部分を覆う複数のタイルが貼着されている。
【先行技術文献】
【特許文献】
【０００３】
【特許文献１】実開平７−１５８６９号公報
【発明の概要】
【発明が解決しようとする課題】
【０００４】
ところで、特許文献１にあっては、浴室床面を形成するために前記タイルを両分割片に亘って多数設ける必要があり、手間を要する。
【０００５】
本発明は上記事情に鑑みてなされたものであって、床面を容易に形成できて施工性に優れた床構造を提供することを課題とする。
【課題を解決するための手段】
【０００６】
上記課題を解決するために本発明の床構造は、隣り合う床パンの夫々の突き合わせ側端部に、上方及び他方の床パン側に開口する凹所が形成され、前記両凹所に跨って上面が前記両床パンの夫々の上面と面一となるカバー材が設けられる床構造であって、前記凹所は、前記床パンの上面部から下方に向けて突出した側片と、前記側片の下端部から隣接する床パン側に向けて突出した底片と、で構成されており、前記両凹所に跨って連結板が設けられ、この連結板により前記両床パンは連結されて、その上方に前記連結板を覆うように前記カバー材が設けられ、前記連結板と前記カバー材とは同じ幅寸法に形成されて前記両凹所の前記側片の間に納められていることを特徴とする。
【０００７】
また、前記両床パンの端縁同士の間に形成された隙間からの水の漏れ出しを抑制する止水材が設けられることが好ましい。
【０００８】
また、前記各床パンは、上面を構成するパン本体と、合成木材を備え、前記凹所は前記パン本体の端部に形成されてこの凹所の前記底片の下側に前記合成木材が設けられ、前記連結板において前記各床パンに対応する部分に上方からねじが挿通され、これらねじが対応する前記パン本体の前記底片を通して対応する前記合成木材にねじ込まれ、前記カバー材が前記連結板と共に前記ねじの頭部上側を覆うように設けられることが好ましい。
【０００９】
また、前記カバー材が前記連結板の上面に両面が粘着面となった防水テープを介して張り付けられ、この防水テープで前記各ねじの頭部が覆われることが好ましい。
【００１０】
また、前記床パンは、上面を構成するパン本体と、補強具を備え、前記凹所は前記パン本体の端部に形成され、この凹所の前記底片の他方の床パン側の端縁から下方に突出する縁片部が形成され、前記補強具が前記凹所の前記底片の下面及び前記縁片部の側面に沿って設けられることが好ましい。
【発明の効果】
【００１１】
本発明にあっては、両凹所に跨るカバー材を設けることにより、隣り合う床パンの上面とこれと面一となるカバー材の上面とで床面を構成することができ、施工が容易になる。
【図面の簡単な説明】
【００１２】
【図１】本発明の実施形態における床構造の要部断面図である。
【図２】同上の床パンの設置状態を示す斜視図である。
【発明を実施するための形態】
【００１３】
以下、本発明を添付図面に基づいて説明する。本実施形態では図２に示されるように多数の床パン１を用いて浴室の床面を形成するものである。この床面は平面視長方形状に形成され、浴室全体の床を構成する。この床面の上には図示しない浴槽が設置される。
【００１４】
各床パン１には脚１０が設けられる。各床パン１は脚１０を介して床下地上に設置される。これら床パン１は平面視矩形状の床面の長さ方向及び幅方向に複数並べて設けられる。各床パン１は隣接する床パン１と突き合わせて配置される。
【００１５】
各床パン１は、図１に示されるパン本体２、補強具３、合成木材４、及び補強材５を備えている。
【００１６】
パン本体２は床パン１の表面層を構成する。パン本体２はＦＲＰ（Ｆｉｂｅｒ  Ｒｅｉｎｆｏｒｃｅｄ  Ｐｌａｓｔｉｃｓ）製である。パン本体２は、上面部８と、上面部８の隣接する床パン１側の縁から下方に突出した縁片部９を有している。
【００１７】
上面部８は床面の一部を構成する。上面部８の隣接する床パン１側の縁部には上方及び隣接する床パン１側に開口する凹所６が形成されている。凹所６は床パン１の縁部に亘って設けられている。凹所６の側面部は、上面部８から下方に向けて突出した側片１１で構成されている。凹所６の底部は側片１１の下端部から隣接する床パン１側に向けて突出した底片１２で構成されている。縁片部９は底片１２の隣接する床パン１側の縁部から下方に向けて突出している。
【００１８】
補強具３及び合成木材４は床パン１の隣接する床パン１側の端部に設けられている。補強具３は金属板で構成されている。補強具３は、横片部１３と、横片部１３の側端部から下方に向けて突出した縦片部１４とで構成され、断面逆Ｌ字状に形成されている。補強具３の横片部１３は底片１２の下面に固着される。補強具３の縦片部１４は縁片部９の床パン１中央側の側面に固着される。これら横片部１３及び縦片部１４の固着は、パテを用いて、あるいは成形直後の半硬化状態にあるパン本体２に補強具３を接着する等してなされる。補強具３は略鉛直な縁片部９が外側に広がるように反ることを抑制する。
【００１９】
合成木材４は発泡合成樹脂を主材とするものであり、耐水性に優れている。合成木材４としては、合成樹脂に木粉等の天然木材を配合したものを採用してもよい。合成木材４は断面略長方形状に形成されている。合成木材４は上面を補強具３の横片部１３に沿わせ、側面を補強具３の縦片部１４に沿わせた状態で配置されている。
【００２０】
補強材５はパン本体２の裏面に沿って設けられ、床パン１の裏面層を構成する。補強材５はガラスマットに樹脂を含浸させたものであり、パン本体２の裏面に固着される。補強材５によってパン本体２の裏側に設けられた補強具３及び合成木材４が覆われる。
【００２１】
図１に示されるように隣り合う床パン１は、互いの略鉛直な縁片部９を対向させた状態で設置される。この設置状態では、両床パン１は同一高さに配置される。すなわち、両床パン１の上面部８の上面は同一高さに配置され、両床パン１の底片１２の上面も同一高さに配置される。
【００２２】
両縁片部９の間には隙間１５が形成される。隙間１５にはパッキン１６が設けられる。すなわち、両縁片部９はパッキン１６を介して突き合わされる。パッキン１６は両縁片部９に挟まれて両縁片部９の間を止水する。パッキン１６は隣接する両床パン１の間に亘って設けられる。パッキン１６は断面円形に形成された丸型パッキンであり、隙間１５に上方から押し込みやすくなっている。
【００２３】
パッキン１６よりも上方の隙間１５にはコーキング材１７が充填される。コーキング材１７としてはシリコン系のものが用いられる。コーキング材１７はパッキン１６よりも上方の両縁片部９の間を止水する。コーキング材１７は上面が両床パン１の底片１２の上面と面一となるように隙間１５に充填される。
【００２４】
両床パン１の底片１２上には、両床パン１の凹所６に跨る連結板１９が設けられる。連結板１９は溶融亜鉛めっき鋼板で構成されている。連結板１９は隣接する両床パン１の縁部に亘って設けられる。連結板１９は板状のパッキン１８を介して両床パン１の底片１２上に載置される。連結板１９において隣り合う床パン１の並設方向における両側部分には、ねじ２０を挿通するための孔２１が形成されている。各孔２１は下方程直径が小さくなるテーパー状の孔であり、各孔２１には皿ねじの頭部を収められるようになっている。
【００２５】
連結板１９の各孔２１には上方からねじ２０が挿入される。本実施形態のねじ２０は皿タッピングねじである。各ねじ２０は、パッキン１８、対応する底片１２及び横片部１３に順に通され、その先端部は対応する合成木材４にねじ込まれる。このように連結板１９の両側部分を対応する床パン１の端部にねじ２０で固着することにより、両床パン１は連結される。また、パッキン１８は両床パン１の底片１２と連結板１９とで挟まれて両床パン１の底片１２と連結板１９の間を止水する。
【００２６】
前記各ねじ２０を合成木材４にねじ込む際には、予め当該ねじ２０が挿入される穴にコーキング処理がなされる。このコーキング処理には、シリコン系のコーキング材（不図示）が用いられる。このコーキング処理を施すことで、ねじ２０と、このねじ２０が螺合されるパッキン１８、底片１２、横片部１３、及び合成木材４の夫々に形成された穴の内周面との間がコーキング材により止水される。
【００２７】
各ねじ２０の皿状の頭部は孔２１に配置される。これによって各ねじ２０の頭部上面は連結板１９の上面と面一となる。
【００２８】
連結板１９の上には、両床パン１の凹所６に跨るカバー材２２が設けられる。カバー材２２は水平な板状に形成されている。カバー材２２も連結板１９と同様に隣接する両床パン１の縁部に亘って設けられる。
【００２９】
カバー材２２は両面が粘着面となった防水テープ２３を介して連結板１９の上面に貼り付けられる。防水テープ２３にはブチルテープが用いられる。防水テープ２３は連結板１９の上面に亘って設けられ、カバー材２２と連結板１９の間を止水する。防水テープ２３は各ねじ２０の頭部上側を覆い、カバー材２２と連結板１９の間に浸入した水がねじ２０を挿入した孔２１に至ることを抑制する。
【００３０】
カバー材２２の幅は連結板１９の幅と同じであり、カバー材２２は連結板１９の上側を覆う。カバー材２２の上面は平坦であり、両床パン１の上面部８の上面と面一となる。カバー材２２の上面は、両床パン１の上面と同色又は同系色となっており、床パン１の上面に模した外観になっている。
【００３１】
底片１２上に設けられたパッキン１８、カバー材２２、防水テープ２３、連結板１９、防水テープ２３、及びカバー材２２によって構成された部分と、両床パン１の側片１１の間には、上方に開口する隙間２４が形成される。隙間２４には、コーキング材２５が充填される。コーキング材２５としてはシリコン系のものが用いられる。コーキング材２５は隙間２４を止水する。図示例では、底片１２の上面における側片１１側の端部に凹部２６が形成されている。凹部２６にはコーキング材２５の一部が充填される。これによって凹部２６の近傍部分にコーキング材２５を確実に充填でき、コーキング材２５による止水性を高めることができる。
【００３２】
コーキング材２５は、床面に露出する上面が床パン１の上面やカバー材２２の上面と面一になるように隙間２４に充填される。コーキング材２５、防水テープ２３、パッキン１８、コーキング材１７、及びパッキン１６は、床パン１上の水が、隙間２４、底片１２と連結板１９の間、及び両縁片部９の間の隙間１５を順に経て床下地側に漏れ出すことを抑制する。つまり、コーキング材２５、防水テープ２３、パッキン１８、コーキング材１７、及びパッキン１６は、隙間１５から水が漏れ出すことを抑制する止水材として機能する。
【００３３】
また、床パン１上の水は、床パン１においてねじ２０を挿入した部分から床下地側に漏れ出す恐れがある。しかし、本実施形態では、コーキング材２５、防水テープ２３、各ねじ２０の周囲のコーキング材、合成木材４、及び補強材５によって、床パン１上の水が、床パン１においてねじ２０を挿入した部分から床下地側に漏れ出すことを抑制できる。
【００３４】
浴室の床面を形成するにあたっては例えば以下の施工がなされる。まず、各床パン１が脚１０を介して床下地上に設置される。次に、隣り合う床パン１の間に形成された隙間１５にパッキン１６が上方から圧入される。次にパッキン１６上方の隙間１５に上方からコーキング材１７が打ち込まれる。次に両床パン１の底片１２上にパッキン１８を介して連結板１９が載置される。次に連結板１９及びねじ２０によって隣り合う床パン１同士が連結される。次に連結板１９に防水テープ２３を介してカバー材２２が載置される。そして、パッキン１８、カバー材２２、防水テープ２３、連結板１９、防水テープ２３及びカバー材２２によって構成された部分と、両床パン１の側片１１の間に形成された隙間２４にコーキング材２５が充填される。
【００３５】
以上説明した本実施形態の床構造では、隣り合う床パン１の夫々の突き合わせ側端部に、上方及び他方の床パン１側に開口する凹所６が形成されており、カバー材２２が両凹所６に跨り且つ上面が両床パン１の夫々の上面と面一となるように設けられている。このため、両床パン１の上面とこれと面一となるカバー材２２の上面とで略連続した面一の床面を構成することができる。従って、従来のように床面を形成するために床パンの上面に多数のタイルを設ける必要がなく、施工が容易になる。
【００３６】
また、本実施形態では、両床パン１の端縁同士の間に形成された隙間１５からの水の漏れ出しを、止水材である、コーキング材２５、防水テープ２３、パッキン１８、コーキング材１７、及びパッキン１６によって抑制することができる。
【００３７】
また、本実施形態では、各床パン１が、上面を構成するパン本体２と、合成木材４を備え、凹所６がパン本体２の端部に形成されて凹所６の底部下側に合成木材４が設けられる。また、両凹所６に跨って連結板１９が設けられ、連結板１９において各床パン１に対応する部分に上方からねじ２０が挿通され、これらねじ２０が対応するパン本体２の凹所６を通して対応する合成木材４にねじ込まれる。これにより、連結板１９及びねじ２０を用いて隣り合う床パン１の端部同士を連結することができる。また、この場合、ねじ２０が天然木材等と比較して止水性・耐水性に優れた合成木材４にねじ込まれるため、この部分をより確実に止水することができる。このため、床パン１においてねじ２０が通された部分から水が漏れ出すことを適切に抑制できる。
【００３８】
また、本実施形態では、カバー材２２が連結板１９の上面に両面が粘着面となった防水テープ２３を介して張り付けられる。このため、連結板１９とカバー材２２の間からの水漏れを防水テープ２３によって生じ難くすることができる。また、防水テープ２３によって各ねじ２０の頭部が覆われるため、床パン１においてねじ２０が通された部分から水が漏れ出すことを一層抑制できる。
【００３９】
また、本実施形態の床パン１は、凹所６の底部の他方の床パン１側の端縁から下方に突出する縁片部９が形成され、補強具３が凹所６の底部の下面及び縁片部９の側面に沿って設けられる。このため、床パン１の成形後において縁片部９が外側に広がるように反ることを防止できる。
【００４０】
なお、本発明は本実施形態のものに限定されるものではなく、本発明の趣旨を逸脱しない範囲内で、必要に応じて適宜設計変更可能である。
【符号の説明】
【００４１】
１  床パン
２  パン本体
３  補強具
４  合成木材
６  凹所
９  縁片部
１５  隙間
１９  連結板
２０  ねじ
２２  カバー材
２３  防水テープ
【図１】
0005934999.tif 000002
【図２】
0005934999.tif 000003